(57)【要約】【課題】  フローはんだ付け装置の搬送中に電子部品がプリント基板に対して何ら固定されていないために起こる電子部品の傾きや浮きの位置ズレが発生した状態ではんだ付けされることなく電子部品をプリント基板にフローはんだ付けして実装する部品浮き矯正治具を提供する。【解決手段】  電子部品６をプリント基板２の上に手や実装装置により載置してセットした後、プリント基板２を予めプリント基板２のフローはんだ付け部に対応した開口部を設けたフローはんだパレット１の上に載置し、予めプリント基板２の上の電子部品６を保持する矯正溝４を加工した部品浮き矯正治具３を電子部品６及びプリント基板２の上に配置して、部品浮き矯正治具３をフローはんだパレット１に保持着脱金具５を用い保持し、フローはんだ付け装置を用いてはんだ付け固定する。【選択図】  図１
0003163727.tif 000002
【実用新案登録請求の範囲】
【請求項１】
電子機器の配線パターンが形成されたプリント基板上に挿入実装型電子部品を搭載してフローはんだ付けする治具において、
前記挿入実装型電子部品の傾きまたは浮きを矯正して前記挿入実装型電子部品を前記プリント基板の所定の搭載位置に搭載する凹形状の溝を有する矯正手段と、
前記挿入実装型電子部品の傾きや浮きを前記矯正手段が矯正した状態で前記挿入実装型電子部品を前記プリント基板に保持する保持手段と、
はんだ付けする際に自治具を前記フローはんだ付け装置に保持する保持手段とを有し、
前記挿入実装型電子部品を前記プリント基板の所定の搭載位置に搭載し搭載位置を保持すると共に、前記フローはんだ付け装置に保持し前記挿入実装型電子部品の傾きや浮きを防止することを特徴とする部品浮き矯正治具。
【請求項２】
請求項１に記載の冶具において、
前記プリント基板と前記矯正手段と前記保持手段とを着脱する、バネ構造の保持着脱金具またはスライド型保持着脱機構による着脱手段をさらに有し、
前記矯正手段と前記保持手段を前記プリント基板から容易に着脱可能とすることを特徴とする部品浮き矯正治具。
【考案の詳細な説明】
【技術分野】
【０００１】
本考案は、リード端子を有する挿入実装型の電子部品をプリント基板にフローはんだ付け実装する際における電子部品の傾きや浮きの位置ズレを防止する部品浮き矯正冶具に関する。
【背景技術】
【０００２】
従来、リード端子を有する挿入実装型の電子部品をプリント基板にフローはんだ付けして実装する場合には、プリント基板の上に手や実装装置により載置してセットした後、フローはんだ付け装置によって噴流されるはんだの上を通過させることによりプリント基板に電子部品のリード端子のはんだ付けを行っていた。
あるいは、プリント基板の上に手や実装装置により載置してセットした後、電子部品のリード端子とスルーホールが存在する箇所に対応して開口部が設けられたフローはんだ付け用治具にプリント基板を載置しフローはんだ付け装置によって噴流されるはんだの上を通過させることによりプリント基板に電子部品のリード端子のはんだ付けを行っていた。
【先行技術文献】
【特許文献】
【０００３】
【特許文献１】特開２００９−４５２７号公報
【考案の概要】
【考案が解決しようとする課題】
【０００４】
しかしながら、上記従来のフローはんだ付け方法によれば手持ちや搬送コンベア等により搬送され、その搬送中は電子部品がプリント基板に対して何ら固定されていないため少しの振動や衝撃等によって容易に傾きや浮きの位置ズレが発生するおそれがある。
そして、その位置ズレ状態で保持されてはんだ付けされる製品もあり、このように傾きや浮きの位置ズレが発生した状態ではんだ付けされた製品は他の部品や筐体との干渉やはんだ接続個所の減少による耐久性劣化を招くおそれがあった。
【０００５】
そこで、本考案の課題は、傾きや浮きの位置ズレが発生した状態ではんだ付けされることなく電子部品をプリント基板にフローはんだ付けして実装する部品浮き矯正治具を提供することにある。
【課題を解決するための手段】
【０００６】
本考案は、電子機器の配線パターンが形成されたプリント基板上に挿入実装型電子部品を搭載してフローはんだ付けする治具において、前記挿入実装型電子部品の傾きまたは浮きを矯正して前記挿入実装型電子部品を前記プリント基板の所定の搭載位置に搭載する凹形状の溝を有する矯正手段と、前記挿入実装型電子部品の傾きや浮きを前記矯正手段が矯正した状態で前記挿入実装型電子部品を前記プリント基板に保持する保持手段と、はんだ付けする際に自治具を前記フローはんだ付け装置に保持する保持手段とを有し、前記挿入実装型電子部品を前記プリント基板の所定の搭載位置に搭載し搭載位置を保持すると共に、前記フローはんだ付け装置に保持し前記挿入実装型電子部品の傾きや浮きを防止することを特徴とする。
【０００７】
さらに、前記の治具において、前記プリント基板と前記矯正手段と前記保持手段とを着脱する、バネ構造の保持着脱金具またはスライド型保持着脱機構による着脱手段をさらに有し、前記矯正手段と前記保持手段を前記プリント基板から容易に着脱可能とすることを特徴とする。
【考案の効果】
【０００８】
本考案によれば、プリント基板に搭載した電子部品を矯正手段と保持手段を有する部品浮き矯正治具を用い固定しフローはんだ付け装置上を搬送してはんだ付けを実施するため電子部品の傾きや浮きの位置ズレを防止することができる。
【０００９】
さらに、プリント基板に搭載した電子部品を矯正手段と保持手段を部品浮き矯正治具から着脱する着脱手段を有しているので、効率良く着脱をすることができる。
【図面の簡単な説明】
【００１０】
【図１】本考案のフローはんだパレットに部品浮き矯正治具を固定した実施例を示す断面図。
【図２】本考案のプリント基板に部品浮き矯正治具を固定した実施例を示す断面図。
【考案を実施するための形態】
【００１１】
以下、本考案の部品浮き矯正治具の実施例について図面をもとに説明する。
【実施例１】
【００１２】
図１は、本考案のフローはんだパレット１に部品浮き矯正治具３を固定した実施例を示す断面図である。
部品浮き矯正治具３はプリント基板２に搭載された電子部品６を保持する矯正溝４と、プリント基板２を固定しフローはんだ付け装置内を搬送する搬送ガイド７を有するフローはんだパレット１と、部品浮き矯正治具３とフローはんだパレット１とを保持し着脱する保持着脱金具５で構成される。
【００１３】
電子部品６をプリント基板２に手や実装装置により載置してセットした後、プリント基板２を予めフローはんだ付け部に対応した開口部を設けたフローはんだパレット１の上に載置し、さらに予め電子部品６を保持する矯正溝４を加工した部品浮き矯正治具３を電子部品６及びプリント基板２の上に配置して、部品浮き矯正治具３をフローはんだパレット１に保持着脱金具５を用い保持し、フローはんだ付け装置を用いてはんだ付け固定する。
【００１４】
また、保持着脱金具５には、バネ構造などの容易に着脱可能な着脱機構を有し（図示せず）フローはんだ付け前後に容易に着脱することができる。
【実施例２】
【００１５】
図２は、本考案の部品浮き矯正治具３をプリント基板２に固定した実施例を示す断面図である。
部品浮き矯正治具３は、プリント基板２に搭載された電子部品６を保持する矯正溝４と、プリント基板２を固定しフローはんだ付け装置内を搬送する搬送ガイド７を有するスライド型保持着脱機構８と、部品浮き矯正治具３とスライド型保持着脱機構８とを保持し着脱する固定用ネジ９で構成される。
【００１６】
電子部品６をプリント基板２の上に手や実装装置により載置してセットした後、プリント基板２を部品浮き矯正治具３に組み付けられたスライド型保持着脱機構８に載置し、予め電子部品６を保持する矯正溝４を加工した部品浮き矯正治具３を電子部品６及びプリント基板２の上に配置して、部品浮き矯正治具３をプリント基板２にスライド型保持着脱機構８の固定用ネジ９を用い保持し、フローはんだ付け装置を用いてはんだ付け固定する。
【００１７】
また、固定する場合にはスライド型保持着脱機構８を図２の実線の位置としてスライド型保持着脱機構８に取付けた固定用ネジ９を締め付け固定し、開放する場合にはスライド型保持着脱機構８に取付けた固定用ネジ９を開放しスライド型保持着脱機構８を図２の点線の位置として、フローはんだ付け前後に容易に着脱することができる。
【００１８】
以上、説明した通り、本考案によれば、部品浮き矯正治具３は、プリント基板２に搭載された電子部品６を保持する矯正溝４で固定しフローはんだ付けし電子部品６の傾きや浮きを防止し他の部品や筐体との干渉を防止することができる。
【００１９】
また、保持着脱金具５及びスライド型保持着脱機構８を用いて部品浮き矯正治具３とプリント基板２とを容易に着脱することができる。
【００２０】
本考案は、上記の実施形態に限定されるものではなく、様々な変更が可能である。例えば、部品浮き矯正治具３とプリント基板２との固定は、部品浮き矯正治具３にロック機能を備えるピンとプリント基板２に固定用の穴を設ける構造などであってもよい。
【符号の説明】
【００２１】
１・・・フローはんだパレット
２・・・プリント基板
３・・・部品浮き矯正治具
４・・・矯正溝
５・・・保持着脱金具
６・・・電子部品
７・・・搬送ガイド
８・・・スライド型保持着脱機構
９・・・固定用ネジ
【図１】
0003163727.tif 000003
【図２】
0003163727.tif 000004